(57)【要約】  穿刺用器具は、穿刺体を保持したカートリッジ１０１が装着される装着部２０３と、軸方向に駆動され、装着部２０３に装着されたカートリッジ１０１に保持された穿刺体を皮膚表面に適用する押圧ロッド２０２とを備えている。装着部２０３は、上下方向からカートリッジ１０１を保護するケース１０５に収容されたカートリッジ１０１を、上下方向を押圧ロッド２０２の駆動方向と一致させて装着可能であると共に、装着されたカートリッジ１０１からケース１０５を脱離させることが可能である。
2019092957.tif 000002
【特許請求の範囲】
【請求項１】
穿刺体を保持したカートリッジが装着される装着部と、
軸方向に駆動され、前記装着部に装着された前記カートリッジに保持された前記穿刺体を皮膚表面に適用する押圧ロッドとを備え、
前記装着部は、上下方向から前記カートリッジを保護するケースに収容された前記カートリッジを、前記上下方向を前記押圧ロッドの駆動方向と一致させて装着可能であると共に、装着された前記カートリッジから前記ケースを脱離させることが可能である、穿刺用器具。
【請求項２】
前記装着部は、前記カートリッジと共に装着された前記ケースを、前記押圧ロッドの駆動方向と交差するスライド方向にスライドさせることにより、前記カートリッジを残して前記ケースを脱離させることができる、請求項１に記載の穿刺用器具。
【請求項３】
前記装着部は、前記ケースに収容された前記カートリッジを、前記スライド方向に挿入することにより、装着することができる、請求項２に記載の穿刺用器具。
【請求項４】
前記装着部は、前記カートリッジを両側方から挟む係合側壁部を有し、
前記係合側壁部は、前記カートリッジの挿入方向に沿って間隔が次第に狭くなるように突出する側壁凸部を有する、請求項２又は３に記載の穿刺用器具。
【請求項５】
前記装着部は、前記スライド方向の長さが、前記ケースの前記スライド方向の長さよりも短い、請求項２〜４のいずれか１項に記載の穿刺用器具。
【請求項６】
前記装着部は、前記スライド方向の動きを規制する規制部を有する、請求項２〜５のいずれか１項に記載の穿刺用器具。
【請求項７】
前記装着部は、前記ケースの前記スライド方向の動きをガイドするガイド部を有する、請求項２〜６のいずれか１項に記載の穿刺用器具。
【請求項８】
前記カートリッジを前記装着部に装着した状態において、前記穿刺用器具の先端部は前記カートリッジの先端部よりも基端側に位置する、請求項１〜７のいずれか１項に記載の穿刺用器具。
【請求項９】
前記装着部は、前記押圧ロッドを囲む周壁部を有し、前記周壁部は、前記ケースを挿入する側に切り欠き部を有する、請求項１〜８のいずれか１項に記載の穿刺用器具。
【請求項１０】
前記装着部は、前記カートリッジの外面に設けられた被係合部に対応する形状のカートリッジ係合部を有する、請求項１〜９のいずれか１項に記載の穿刺用器具。
【発明の詳細な説明】
【技術分野】
【０００１】
本開示は、穿刺用器具に関する。
【背景技術】
【０００２】
患者の皮膚から薬剤を投与する経皮投与が検討されている。経皮投与として、軟膏やクリーム等を皮膚に塗り込んで浸透させる方法及びテープ製剤又はパッチ製剤等の薬剤が塗布された粘着性のフィルムを皮膚に貼り付ける方法が知られている。近年、マイクロニードルを用いた経皮投与が検討されている。マイクロニードルは長さが数μｍ程度の微小な針であり、表面又は内部に薬剤を保持していたり、薬剤そのものにより形成されていたりする。マイクロニードルが固定された貼付シートを皮膚に貼り付けると、マイクロニードルは、患者にほとんど痛みを感じさせることなく、角質層を越えて表皮に達することができる。このため、従来のテープ製剤やパッチ製剤と比べて、効率良く薬剤を投与することが可能となる。【０００３】
マイクロニードルは、通常の針のように触れただけで怪我をする可能性は小さい。しかし、触れてしまったことに気づかずに、マイクロニードルを破損したり、マイクロニードルを汚染したりするおそれがある。このため、マイクロニードルを固定した貼付シートをアプリケータに装着する際に、マイクロニードルを保護することが好ましい。このため、貼付シートにカバーが貼り付けられたマイクロニードルカートリッジが検討されている（例えば、特許文献１を参照。）。マイクロニードルを覆うカバーが取り付けられているため、マイクロニードルカートリッジをアプリケータに装着する際に、操作者がマイクロニードルに触れることがない。【０００４】
また、アプリケータ本体に対して垂直方向にスライドさせることにより着脱可能なカートリッジを用いることも検討されている（例えば、特許文献２を参照。）。この場合、裁置されたカートリッジの上方からアプリケータ本体を押し込んでカートリッジを装着すれば、カートリッジをアプリケータに装着する際に、操作者がマイクロニードルに触れることがない。
【先行技術文献】
【特許文献】
【０００５】
【特許文献１】特開２０１３−６６７３０号公報
【特許文献２】特開２０１７−２３４０４号公報
【発明の概要】
【発明が解決しようとする課題】
【０００６】
しかしながら、従来のアプリケータには以下のような問題がある。まず、貼付シートにカバーを貼り付けた場合、装着後に貼付シートからカバーを剥離する際に、貼付シートに力が加わりシートが変形したり破れたりするという問題がある。また、貼付シートの粘着力が低下するという問題がある。さらに、貼付シートの裏面は保護されていないため、裏面側から力が加わり、貼付シートが変形したり破れたりするという問題もある。貼付シートの裏面側に硬質の保護板を貼り付けることも考えられるが、保護板はアプリケータに装着する前に取り外す必要があり、装着時には保護することができない。次に、先端部を垂直方向にスライドさせて装着する場合、手で支えて装着する場合には、マイクロニードルを保護できないという問題がある。【０００７】
マイクロニードルのアプリケータに限らず、皮膚に対して穿刺を行う何らかの穿刺体を装着する穿刺用器具において、これらの問題は発生し得る。【０００８】
本開示の課題は、穿刺体の装着が容易で、安全性が高い穿刺用器具を実現できるようにすることである。
【課題を解決するための手段】
【０００９】
本開示の穿刺用器具の一態様は、穿刺体を保持したカートリッジが装着される装着部と、軸方向に駆動され、装着部に装着されたカートリッジに保持された穿刺体を皮膚表面に適用する押圧ロッドとを備え、装着部は、上下方向からカートリッジを保護するケースに収容されたカートリッジを、上下方向を押圧ロッドの駆動方向と一致させて装着可能であると共に、装着されたカートリッジからケースを脱離させることが可能である。【００１０】
このような構成とすることにより、穿刺用器具に装着する前のカートリッジ本体を上下両方向から保護することができ、装着時に穿刺体を汚染したり、破損したりしにくくできる。【００１１】
穿刺用器具の一態様において、装着部は、カートリッジと共に装着されたケースを、押圧ロッドの駆動方向と交差するスライド方向にスライドさせることにより、カートリッジを残してケースを脱離させることができる。このような構成とすることにより、カートリッジを上下両方向から保護すると共に、ケースを容易に取り外すことが可能となる。【００１２】
この場合において、装着部は、ケースに収容されたカートリッジを、スライド方向に挿入することにより、装着することができる。このような構成とすることにより、装着に要する力を小さくしても、軸方向に脱落しにくくすることができる。【００１３】
穿刺用器具の一態様において、装着部は、カートリッジを両側方から挟む係合側壁部を有し、係合側壁部は、カートリッジの挿入方向に沿って間隔が次第に狭くなるように突出する側壁凸部を有していてもよい。このような構成とすることにより、カートリッジの装着が容易となる。【００１４】
穿刺用器具の一態様において、装着部は、スライド方向の長さが、ケースのスライド方向の長さよりも短い。このような構成とすることにより、ケースの脱離が容易となる。【００１５】
穿刺用器具の一態様において、装着部は、スライド方向の動きを規制する規制部を有する。このような構成とすることにより、ケースの脱着が容易となる。【００１６】
穿刺用器具の一態様において、カートリッジを装着部に装着した状態において、穿刺用器具の先端部はカートリッジの先端部よりも基端側に位置する。このような構成とすることにより、穿刺用器具の部分が皮膚に触れないようにでき、安全性を向上させることができる。【００１７】
穿刺用器具の一態様において、装着部は、押圧ロッドを囲む周壁部を有し、周壁部は、ケースを挿入する側に切り欠き部を有していてもよい。このような構成とすることにより押圧ロッドを使用位置に押し込むことが容易となる。【００１８】
穿刺用器具の一態様において、装着部は、カートリッジの外面に設けられた被係合部に対応する形状のカートリッジ係合部を有していてもよい。このような構成とすることにより、カートリッジの保持力を大きくすることができる。
【発明の効果】
【００１９】
本開示の穿刺用器具によれば、穿刺体の装着が容易となり、安全性を向上させることができる。
【図面の簡単な説明】
【００２０】
【図１】図１は、一実施形態に係るアプリケータにカートリッジを装着される前の状態を示す斜視図である。
【図２】図２は、一実施形態に係るアプリケータにケースに収容されたカートリッジを装着した状態を示す斜視図である。
【図３】図３は、一実施形態に係るアプリケータにおいて、ケースを脱離させた状態を示す斜視図である。
【図４】図４は、一実施形態に係るアプリケータに装着するカートリッジを示す斜視図である。
【図５】図５は、一実施形態に係るアプリケータに装着するカートリッジを示す平面図である。
【図６】図６は、図５のVI−VI線における断面図である。
【図７】図７は、アプリケータの一変形例を示す斜視図である。
【図８】図８は、一変形例に係るアプリケータの装着部を示す斜視図である。
【発明を実施するための形態】
【００２１】
図１〜３に示すように、本実施形態の穿刺用器具は、マイクロニードルを皮膚に適用するアプリケータ２００である。アプリケータ２００は、筒状の本体部２０１を有しており、本体部２０１の一方の端部には、装着部２０３及び押圧ロッド２０２が設けられている。装着部２０３には、マイクロニードルを保持したカートリッジ１０１が装着される。押圧ロッド２０２は、本体部２０１の内部に収容された付勢部材により軸方向に駆動され、装着部２０３に装着されたカートリッジ１０１に保持されたマイクロニードルを皮膚表面に適用する。押圧ロッド２０２の駆動は、本体部２０１の側面に設けられたトリガボタン（図示せず）を操作することにより行われる。なお、押圧ロッド２０２の駆動機構は上記態様に限定されたものではなく、例えば押圧ロッド２０２を手指等で押圧することで駆動されてもよい。
【００２２】
装着部２０３には、カートリッジ１０１を上下方向から保護するケース１０５に収容されたカートリッジ１０１を、カートリッジ１０１の上下方向が押圧ロッド２０２の駆動方向と一致するように装着できる。また、装着されたカートリッジ１０１からケース１０５を脱離させることができる。
【００２３】
図４〜図６に示すように、本実施形態のアプリケータ２００に装着できるカートリッジ１０１は、カートリッジ１０１を上下方向から保護するケース１０５に収容されている。カートリッジ１０１は、貼付シート１０３に固定されたマイクロニードルアレイ１０２と、貼付シート１０３を保持する保持部１０４とを含む。
【００２４】
本実施形態において、保持部１０４は円筒形状の枠体１４１を有している。枠体１４１の底部には、外方向に拡がった鍔状の外周リング１４２と、内方向に拡がった鍔状の貼付シート保持部１４３とが設けられている。ケース１０５は、筒状の枠体１４１の上面を覆う天板１５１と、下面を覆う底板１５２と、天板１５１と底板１５２とを接続する側板１５３とを有する断面コ字状である。天板１５１と底板１５２との間の空間に、カートリッジ１０１が収容される。ケース１０５の天板１５１と底板１５２との間隔は、保持部１０４の高さと略一致しており、カートリッジ１０１は、ケース１０５の空間内をスライドして移動可能となっている。天板１５１だけでなく底板１５２を設けることにより、カートリッジ１０１を上下両方向から保護することができる。なお、枠体１４１、及び外周リング１４２は円筒形状、リング形状に限定されず、例えば平面多角形状であってもよい。また、ケース１０５の形状は上記に限定されたものではない。
【００２５】
側板１５３は、保持部１０４の枠体１４１の外径に対応した円弧状に形成されている。また、側板１５３の下端部には保持部１０４の外周リング１４２に対応した溝部が形成されている。これらの構成により、ケース１０５内に保持部１０４を安定して収容することができると共に、保持部１０４が側板１５３の延びる方向には移動しにくくしている。また、天板１５１の側板１５３と反対側の端部には下向きの凸部１５５が設けられており、ある程度以上の力が加わらなければ、保持部１０４は側板１５３と交差する方向にも移動しない。なお、側板１５３の形状は円弧状に限定されたものでなく、保持部１０４の形状に対応していなくてもよく、外周リング１４２に対応した溝部も必須の構成ではない。
【００２６】
装着部２０３は、保持部１０４の枠体１４１を両側から挟み込めるように、端面から突出して設けられた２つの係合側壁部２３１と、係合側壁部２３１の基部に設けられ、ケース１０５の底板１５２の幅に一致するガイド部２３２を形成する台座部２３３とを有している。係合側壁部２３１の内側面には、カートリッジ１０１の形状に対応したカートリッジ係合部２３５が設けられている。カートリッジ係合部２３５は、第１係合部２３６と第２係合部２３７を有している。第１係合部２３６は枠体１４１の外周面に対応した形状となっており、第２係合部２３７は外周リング１４２に対応した形状となっている。なお、係合側壁部２３１の数は２つに限定されない。
【００２７】
図１に示すように、カートリッジ１０１を収容したケース１０５をガイド部２３２に合わせて、押圧ロッド２０２の駆動方向（軸方向）と交差するスライド方向（横方向）からスライドさせて装着部２０３に挿入する。
【００２８】
ケース１０５に収容されたカートリッジ１０１を一方の端部（挿入端）から装着部２０３に挿入すると、図２に示すように、ケース１０５は、ガイド部２３２の反対側の端部に設けられた抜け止め凸部２３４に当接し、カートリッジ係合部２３５は、カートリッジ１０１の被係合部１４５と係合する。本実施形態において、被係合部１４５は、ケース１０５の側方に露出した枠体１４１の側面である。ガイド部２３２の幅はケース１０５の底板１５２と略一致しており、ガイド部２３２の高さは底板１５２の厚さと略一致している。ガイド部２３２の形状は、底板１５２の形状に合わせて定めることができる。
【００２９】
次に、ケース１０５を逆方向に移動させると、図３に示すように、カートリッジ１０１の被係合部１４５が係合側壁部２３１と係合しているため、ケース１０５はカートリッジ１０１から脱離する。装着及び脱離の際に、ガイド部２３２及び抜け止め凸部２３４、カートリッジ係合部２３５は、ケース１０５の装着及び脱離方向の動きを規制する規制部として機能する。
【００３０】
本実施形態において、装着部２０３は、ケース１０５のスライド方向と一致した方向の長さが、ケース１０５のスライド方向の長さよりも短い。このため、ケース１０５に収容されたカートリッジ１０１を装着部２０３に装着すると、図２に示すように、ケース１０５の端部は装着部２０３よりも突出する。これにより、ケース１０５の脱離操作が容易となる。
【００３１】
本実施形態において、図５に示すように、カートリッジ１０１の枠体１４１の外径は、ケース１０５のスライド方向と交差する方向の幅よりも大きく、カートリッジ１０１の被係合部１４５となる部分がケース１０５から露出している。このため、装着部２０３の係合側壁部２３１は、ケース１０５に収容されたカートリッジ１０１と容易に係合させることができる。但し、枠体１４１の外径がケース１０５の幅よりも小さい場合においても、係合側壁部２３１の形状を調整することにより、ケース１０５に収容されたカートリッジ１０１の被係合部１４５と係合側壁部２３１とを係合させることができる。
【００３２】
本実施形態のアプリケータ２００は、横方向からスライドさせてカートリッジ１０１を装着する。カートリッジ１０１の装着方向をアプリケータ２００の軸方向（縦方向）とすると、装着方向が押圧ロッドの駆動方向と一致する。この場合、駆動時にカートリッジが脱落しないように、カートリッジ１０１を軸方向に取り外す力が駆動時にかかる力よりも大きくなるように装着部２０３を設計する必要がある。また、これに伴い装着部２０３及び装着されるカートリッジ１０１の機械的強度を大きくしなければならない。また、装着部２０３にカートリッジ１０１を装着しやすく且つ外れにくいように構成することで操作性に優れた穿刺用器具を実現することができる。
【００３３】
一方、本実施形態のように、カートリッジの装着方向と押圧ロッド２０２の駆動方向とを異ならせた場合には、駆動方向の脱離を防ぐ機構と、装着方向の脱離を防ぐ機構とを分離することができる。このため、カートリッジの着脱に必要とする力が小さくなるように設計することが容易にできる。具体的に、本実施形態において、係合側壁部２３１の下端部に、カートリッジ１０１の外周リング１４２に対応した第２係合部２３７が設けられている。外周リング１４２と第２係合部２３７とを係合させることにより、押圧ロッド２０２により縦方向に大きな力が加わっても、カートリッジ１０１が縦方向に脱離しないようにできる。このため、第１係合部２３６と枠体１４１の側面とを係合させるために要する力が小さくなるように第１係合部２３６を設計することができる。枠体１４１の側面と第１係合部２３６とを係合させることにより、駆動時に押圧ロッド２０２によって軸方向に大きな力が加わっても、カートリッジ１０１が軸方向に脱離しないように構成することができる。
【００３４】
但し、本実施形態のように、横方向のスライドのみによりカートリッジを装着する構成に限らず、例えば、アプリケータの駆動方向である縦方向にスライドさせた後、横方向にスライドさせてカートリッジを装着する構成とすることができる。また、縦方向の所定の位置までスライドさせた後、一定角度回転させるような着脱機構とすることもできる。
【００３５】
本実施形態では、図５に示すように被係合部１４５である枠体１４１の外表面に滑り止めの複数の凸条部１４４が設けられている例を示したが、その形状は限定されたものではない。また、凸条部１４４は必要に応じて設ければよく、設けなくてもよい。さらに、凸条部１４４を被係合部１４５となる部分にのみ設けることもできる。凸条部１４４を設けることにより、第１係合部２３６と凸条部１４４との間の摩擦を大きくして、保持力を向上させることができる。また、第１係合部２３６に凸条部１４４と噛みあうような構成を設けることもできる。
【００３６】
また、被係合部１４５に凸条部１４４を設けるのではなく、溝部を設けたり、係合用の凸部又は凹部等を設けたりすることができる。さらに、保持力が大きくなるように、被係合部１４５の部分を曲面ではなく平面とすることもできる。カートリッジ係合部２３５は、被係合部１４５の形状に対応する形状とすることができる。
【００３７】
なお、本実施形態において、枠体１４１の外面に設けられた被係合部１４５が、アプリケータ２００のカートリッジ係合部２３５と係合する構成としたが、カートリッジ係合部２３５及び被係合部１４５は、このような構成に限らず、カートリッジ１０１を装着部２０３に装着できる種々の構成とすることができる。例えば、外周リング１４２を側方から挟み込んだり、上下に挟み込んだりして、カートリッジ１０１をアプリケータ２００に保持させることができる。また、カートリッジ１０１の外面ではなく、内面に被係合部が設けられた構成とすることもできる。
【００３８】
本実施形態において、アプリケータ２００の装着部２０３に、ガイド部２３２を設けた。ガイド部２３２を設けることにより、ケース１０５の装着部２０３への挿入が容易となる。しかし、ガイド部２３２は設けなくてもよい。また、ガイド部２３２の一方の端部に、ケース１０５の挿入位置を限定する抜け止め凸部２３４を設けたが、抜け止め凸部２３４は設けなくてもよい。また、係合側壁部２３１を２ヶ所に設ける例を示したが、アプリケータ２００の端面の半周程度を囲むような係合側壁部を１つ設けることもできる。この場合には、係合側壁部と干渉しないようにケース１０５の底板１５２の形状を調整すればよい。
【００３９】
第２係合部２３７の高さは、外周リング１４２の厚さと略一致するか僅かに大きく設けられている。このような構成とすることで、カートリッジ１０１と装着部２０３とを十分な強度で嵌合させることができる。また、カートリッジ１０１が装着部２０３に装着された状態において、外周リング１４２の駆動方向側の面と、第２係合部２３７が駆動方向において外周リング１４２の駆動方向側の面とが対向することにより、押圧ロッド２０２が駆動された場合であってもカートリッジ１０１が装着部２０３から外れにくくできる。
【００４０】
但し、第１係合部２３６により枠体１４１が十分な強度で保持されている場合には、第２係合部２３７及び外周リング１４２を設けなくてもよい。また、第２係合部２３７に代えて又は第２係合部２３７に加えて、係合側壁部２３１の上端部が枠体１４１の天面側の面と対向するようなカバー部を有していてもよい。カバー部を設けることにより、係合側壁部２３１と枠体１４１の側面とを係合させるために要する力が小さくなるように係合側壁部２３１を設計することができ、押圧ロッド２０２により縦方向に大きな力が加わっても、カートリッジ１０１が縦方向に脱離しないように構成することができる。
【００４１】
カートリッジ係合部２３５に代えて、図７及び図８に示すようなカートリッジ係合部２４５を係合側壁部２３１の内側面に設けることもできる。カートリッジ係合部２４５は、係合側壁部２３１の内側面に設けられた側壁凸部２４６を有している。側壁凸部２４６は、対向する２つの係合側壁部２３１にそれぞれ設けられており、２つの側壁凸部２４６の最小間隔は、枠体１４１の最大幅と同じか僅かに小さくなっている。このため、２つの側壁凸部２４６はカートリッジ１０１の枠体１４１を挟んで保持する第１係合部として機能する。側壁凸部２４６は、挿入端側から中央部付近に向かって突出高さが次第に大きくなる傾斜面２４２を有しており、対向する２つ係合側壁部２３１の間隔は挿入方向に沿って次第に狭くなる。このため、カートリッジ１０１を挿入端側からスライドさせて挿入することにより、枠体１４１と側壁凸部２４６とを容易に係合させることができる。なお、側壁凸部２４６は、一方の係合側壁部２３１のみに設けることもできる。
【００４２】
側壁凸部２４６の中央部には、係合凹部２４３が設けられている。係合凹部２４３は、カートリッジ１０１の被装着部と係合するように設けている。本実施形態では、枠体１４１の外表面の被係合部１４５に設けられた凸条部１４４と噛みあうように設けられている。係合凹部２４３と凸条部１４４とを噛み合わせることにより、側壁凸部２４６による枠体１４１を保持する力を大きくすることができる。但し、係合凹部２４３は必要に応じて設ければよく充分な保持力が得られる場合には設けなくてもよい。また、枠体１４１の外表面の被係合部１４５を構成に応じて保持力を向上させるような種々の構成を設けることができる。
【００４３】
係合側壁部２３１の側壁凸部２４６よりも下方（台座部２３３側）には、側壁開口部２４７が設けられている。側壁開口部２４７は、外周リング１４２と係合する第２係合部として機能する。外周リング１４２と係合する部分は、貫通していない凹部とすることもできるが、側壁開口部２４７とすることにより外周リング１４２の係合を目視により確認することが可能となる。
【００４４】
図７において、装着部２０３は、押圧ロッド２０２を囲む周壁部２４９の先端部にカートリッジ係合部２４５が設けられている。また、周壁部２４９は、挿入端の部分に大きく切り欠かれた切り欠き部２５１を有している。切り欠き部２５１を設けることにより、切り欠き部がない場合と比較して押圧ロッド２０２を押し込み易くすることができる。さらに、カートリッジ１０１を収容したケース１０５を上下方向から指で挟んだ状態でスライドさせてカートリッジ１０１を装着部２０３に装着し、ケース１０５だけを逆にスライドさせて抜き取ることもできる。但し、図１に示すような切り欠き部が設けられていない構成とすることもできる。また、図１等に示す構成のアプリケータにおいても切り欠き部を設けることができる。
【００４５】
カートリッジ１０１に保持されるマイクロニードルアレイ１０２は、特に限定されない。例えば、直径が５ｍｍ〜２０ｍｍ程度の基板の上に、薬剤を保持した長さが２０μｍ〜１０００μｍ程度のマイクロニードルが、１００本／ｃｍ2〜１００００本／ｃｍ2程度の密度で配置されたものを用いることができる。マイクロニードル１２２の表面に保持する薬剤は特に限定されない。また、マイクロニードルは生分解性のものであってもよい。
【００４６】
貼付シート１０３は、皮膚表面にマイクロニードルアレイ１０２を所定の時間固定した後、剥離することができればよく、例えば粘着剤層が設けられた樹脂フィルムとすることができる。
【００４７】
装着部２０３にカートリッジ１０１を装着した際に、アプリケータ２００の先端部は、カートリッジ１０１の先端部よりも基端側になることが好ましい。このような構成とすることにより、使い捨てのカートリッジ１０１だけが皮膚と接触し、繰り返し使用されるアプリケータ２００の先端部は皮膚に接触しないようにすることができ、安全性を向上させることができる。
【００４８】
穿刺体がマイクロニードルアレイである例を示したが、マイクロニードルアレイに限らず、通常のニードルを含む皮膚に穿刺する穿刺体を保持するカートリッジが装着されるあらゆる穿刺用器具において、同様の構成を採用することができる。
【産業上の利用可能性】
【００４９】
本開示の穿刺用器具は、穿刺体の装着が容易で、安全性が高く、種々の薬剤の投与等に用いることができる。
【符号の説明】
【００５０】
１０１      カートリッジ
１０２      マイクロニードルアレイ
１０３      貼付シート
１０４      保持部
１０５      ケース
１２２      マイクロニードル
１４１      枠体
１４２      外周リング
１４３      貼付シート保持部
１４４      凸条部
１４５      被係合部
１５１      天板
１５２      底板
１５３      側板
１５５      凸部
２００      アプリケータ
２０１      本体部
２０２      押圧ロッド
２０３      装着部
２３１      係合側壁部
２３２      ガイド部
２３３      台座部
２３４      抜け止め凸部
２３５      カートリッジ係合部
２３６      第１係合部
２３７      第２係合部
２４２      傾斜面
２４３      係合凹部
２４５      カートリッジ係合部
２４６      側壁凸部
２４７      側壁開口部
２４９      周壁部
２５１      切り欠き部
【図１】
2019092957.tif 000003
【図２】
2019092957.tif 000004
【図３】
2019092957.tif 000005
【図４】
2019092957.tif 000006
【図５】
2019092957.tif 000007
【図６】
2019092957.tif 000008
【図７】
2019092957.tif 000009
【図８】
2019092957.tif 000010
【国際調査報告】
2019092957.tif 000011
2019092957.tif 000012
2019092957.tif 000013
2019092957.tif 000014